(57)【要約】      （修正有）【課題】有効的にスクワット運動を行う際の安全性を維持し、多くの使用上の進歩を具有するスクワット運動マシーンの構造を提供する。【解決手段】主に一つの台座１０、一つのシート２０、一つのコネクティングロッドセット３０及び一つの圧力棒４０で構成するスクワット運動マシーンである。該台座１０は一つの延伸ブラケット１１及び相対する両サイドに位置する二本の支え棒１１１を具有する。該延伸ブラケット１１は一端に位置する二本の横棒１１２及び別端に位置する一つの突出段１１３を具有する。該延伸ブラケット１１が具有する二本の横棒１１２の一端は該二本の支え棒１１１と結合し、且つ別端の該突出段１１３は該台座１０の外側に延伸し、地面と抵触することで、台座１０の安定した支えを形成する。【選択図】図２
0003219145.tif 000002
【実用新案登録請求の範囲】
【請求項１】
一つの台座、一つのシート、一つのコネクティングロッドセット及び一つの圧力棒を含み、
該台座は一つの延伸ブラケット及び相対する両サイドに位置する二本の支え棒を具有し、該延伸ブラケットは一端に位置する二本の横棒及び別端に位置する一つの突出段を具有し、該延伸ブラケットが具有する二本の横棒の一端は該二本の支え棒と結合し、且つ別端の該突出段は該台座の外側に延伸し、地面と抵触することで、台座を安定して支え、
該シートは両サイドに延伸する一つの横向きハンドル及び縦向きに設置し、伸縮して高さを調整できる一つの昇降立管を具有し、該昇降立管は互いに被せてセットになる一つの内スリーブと一つの外スリーブを含み、該外スリーブは一つの上ピボット及び下ピボットを設け、
該コネクティングロッドセットは互いに平行する一つの上コネクティングロッドと二つの下コネクティングロッド、及び一つのサポート台を含み、該サポート台は、台座の位置に対応した延伸ブラケットの上で結合し、且つ該サポート台は螺接する一つの上ボルトと一つの下ボルトを具有し、該上コネクティングロッドの両端は、それぞれ該上ピボット、上ボルトと枢結し、該二つの下コネクティングロッドはサポート台の両サイドに位置し、且つ両端はそれぞれ該下ピボット、下ボルトと枢結し、
該圧力棒は一つの圧力シリンダー及び圧力シリンダーの一端に位置する一つの伸縮棒を具有し、該圧力シリンダーをサポート台と突出段の間にある延伸ブラケットに枢設し、該伸縮棒はシートに近い昇降立管の該二つの下コネクティングロッドに枢設し、該シートがコネクティングロッドセットに働く作用力を支えるためのものであり、且つ作用力が消えると、コネクティングロッドセットを押し上げ、且つ連動してシートを上向きに押し上げることを特徴とするスクワット運動マシーンの構造。
【請求項２】
前記該上ピボットを該外スリーブのサポート台向きの一つの外壁に設置し、該下ピボットは外スリーブの上ピボットと隣り合う両サイドの外壁に枢設することを特徴とする請求項１記載のスクワット運動マシーンの構造。
【請求項３】
前記該シートの外スリーブは更に上ピボットの上側に位置する一つの伸縮ピンを設け、伸縮ピンはボルトセットを具有する一つのガイド台を具有し、且つ該ガイド台は外スリーブと結合して固定し、該内スリーブは上下に排列する複数の制限穴を設け、該伸縮ピンを内スリーブの中の一つの制限穴に挿入して定位し、該伸縮ピンを緩めてから制限穴から外して内スリーブから離し、伸縮ピンは相対する制限穴を変えることで、シートの高さを調整してから伸縮ピンを制限穴に挿入することを特徴とする請求項２記載のスクワット運動マシーンの構造。
【請求項４】
前記該圧力棒の圧力シリンダーは気圧或いは油圧を使用することを特徴とする請求項１記載のスクワット運動マシーンの構造。
【請求項５】
前記該上ピボットを上コネクティングロッドの枢結から抜き、コネクティングロッドセットとシートの支えの結合を解除することで、該上コネクティングロッド、二つの下コネクティングロッド及びシートを台座の延伸ブラケットに押し、収納状態を形成することを特徴とする請求項１から請求項４のいずれか一項に記載のスクワット運動マシーンの構造。
【考案の詳細な説明】
【技術分野】
【０００１】
本考案は運動をサポートする設備の分野に関し、特にユーザーがスクワットを練習する際、バランスを保つ要領を得るために使用するスクワット運動マシーンの構造に関する。
【背景技術】
【０００２】
「スクワット運動」は近年大変人気のあるトレーニングの一つである。インターネットで瞬く間に人気に火が点き、検索すると、多くのファッション雑誌のウェブサイトでも、トレーナーがスクワット運動を教える記事がある。この運動を行うと、有効的に大腿二頭筋、下腿三頭筋及び脊柱起立筋など、体幹から下半身の主な筋肉が鍛えられ、簡単に代謝を上げて下半身を痩せられ、特に強靭な腿部筋肉を手に入れられ、ヒップアップもできると強調している。
【０００３】
しかし、実は「スクワット運動」は、ヒザに大変な負担がかかる。姿勢が正確でないと、ヒザ痛を引き起こしやすいことを鑑みて、問題に気付いた関連業者は素早くスクワット運動をサポートするマシーンを案出した。しかし、全体的にみれば、尚も欠点があり、改善すべき部分がある。例えば、体積が大きすぎて、運搬及び収納しにくい。折り畳んで体積を小さくできるものもあるが、使用時ユーザーを支える安定性に欠け、使用する過程において、安定した姿勢を保ちにくい。
【０００４】
台湾の公知の特許申請案第Ｍ５５３２０９号の「スクワット運動マシーン」の摘要部分に述べるのは：本考案は一種のスクワット運動マシーンを提供し、主に台座、フットリミッター、シート、アームレスト、平行コネクティングロッドセット及び弾性抵触部品を含む。その中、台座は前後相互に接続する前後フレームを含み、前フレームは縦スタンドを具有し、後フレームは支持部を設ける。フットリミッターを縦スタンドに設置し、且つ台座の上方に位置する。シートを後フレームの上方に設け、シートの底部にある縦方向支持フレームの底端が最も低い部分にまで下降した際に、後フレームの支持部に抵触する。アームレストはシートの両サイドに設ける左側と右側のアームを含む。平行コネクティングロッドセットは、上下平行に間隔を開けて配置する上下のコネクティングロッド及び、上下コネクティングロッドの前端が前フレームに枢接するために設ける縦スタンド、上下コネクティングロッドの後端がシートに枢接する縦方向支持フレームを含む。弾性抵触部品は台座の前フレームと下コネクティングロッドの間に設ける。」
【０００５】
上述のように、従来の特許申請案は、その構成は可動関節を通じて、展開収納できる収納可能構造を構成するが、それにより台座全体の構造強度が大変弱まるほか、地面との間を安定して支えられない事態が起きる。従来技術の特許申請案では、定位部品と合わせて、展開して使用する際に定位をし、「スクワット運動」中にかかる重さを支えるとしているが、従来技術の特許申請案の図３及び図４に示す使用状態略図で分かるように、ユーザーは全身の体重を使って下向きに押すために、可動関節の定位部品に圧力がかかる。従来技術の特許申請案は定位部品のみでは、果たして支えられるのかが試練を待たなければならない。よって、上述の従来技術の特許申請案は、折り畳んで体積を減らせるよう、全ての運動の重量を支える台座は、前後フレームが一つの可動関節を通じて枢接して結合している。運動の安全面を考慮すると、大変安全性に欠ける不当なデザインである。
【０００６】
よって、如何にして上述の従来技術の特許申請案について、折り畳んで体積を減らすことができるのか、尚且つ全ての運動の重量を支える台座は、前後フレームが一つの可動関節を通じて枢接して結合しているため、台座全体の構造強度が弱くなり、且つ台座と地面との間は安定して支えられないなどの欠点を鑑みて、更なる改善が必要であった。
【先行技術文献】
【特許文献】
【０００７】
【特許文献１】特開2018-23678号公報
【考案の概要】
【考案が解決しようとする課題】
【０００８】
前記公知構造の欠点を解決するために、本考案の主な目的は、地面に設置する台座は一つの延伸ブラケットを具有する。該延伸ブラケットの一端に二本の支え棒を設け、且つ台座と結合する。また、該延伸ブラケットの別端は該台座の外側に延伸し、地面と抵触して台座の支えの安定性を強化する。有効的にスクワット運動を行う際の安全性を維持し、多くの使用上の進歩を具有する。
【課題を解決するための手段】
【０００９】
上述の目的を解決するために、本考案はスクワット運動マシーンの構造を提供するものである。本考案に含まれるのは地面に設置する一つの台座、一つのシート、一つのコネクティングロッドセット及び一つの圧力棒である。
【００１０】
該台座は一つの延伸ブラケット及び相対する両サイドに位置する二本の支え棒を具有する。該延伸ブラケットは一端に位置する二本の横棒及び別端に位置する一つの突出段を具有する。該延伸ブラケットが具有する二本の横棒の一端は該二本の支え棒と結合し、且つ別端の該突出段は該台座の外側に延伸し、地面と抵触することで、台座の安定した支えを形成する。
【００１１】
該シートは両サイドに延伸する一つの横向きハンドル及び縦向きに設置し、伸縮して高さを調整できる一つの昇降立管を具有する。該昇降立管は互いに被せてセットになる一つの内スリーブと一つの外スリーブを含む。該外スリーブは一つの上ピボット及び下ピボットを設ける。
【００１２】
該コネクティングロッドセットは互いに平行する一つの上コネクティングロッドと二つの下コネクティングロッド、及び一つのサポート台を含む。該サポート台は、台座の位置に対応した延伸ブラケットの上で結合し、且つ該サポート台は螺接する一つの上ボルトと一つの下ボルトを具有する。該上コネクティングロッドの両端は、それぞれ該上ピボット、上ボルトと枢結する。該二つの下コネクティングロッドはサポート台の両サイドに位置し、且つ両端はそれぞれ該下ピボット、下ボルトと枢結する。
【００１３】
該圧力棒は一つの圧力シリンダー及び圧力シリンダーの一端に位置する一つの伸縮棒を具有する。該圧力シリンダーをサポート台と突出段の間にある延伸ブラケットに枢設する。該伸縮棒はシートに近い昇降立管の該二つの下コネクティングロッドに枢設し、該シートがコネクティングロッドセットに働く作用力を支えるためのものであり、且つ作用力が消えると、コネクティングロッドセットを押し上げ、且つ連動してシートを上向きに押し上げる。
【００１４】
上記の本考案の説明に基づき、本考案は更に広がる技術特徴は、該上ピボットを該外スリーブのサポート台向きの一つの外壁に設置し、該下ピボットは外スリーブの上ピボットと隣り合う両サイドの外壁に枢設する。
【００１５】
上記の本考案の説明に基づき、本考案は更に広がる技術特徴は、該シートの外スリーブは更に上ピボットの上側に位置する一つの伸縮ピンを設ける。伸縮ピンはボルトセットを具有する一つのガイド台を具有し、且つ該ガイド台は外スリーブと結合して固定する。該内スリーブは上下に排列する複数の制限穴を設け、該伸縮ピンを内スリーブの中の一つの制限穴に挿入して定位する。該伸縮ピンを緩めてから制限穴から外して内スリーブから離し、伸縮ピンは相対する制限穴を変えることで、シートの高さを調整してから伸縮ピンを制限穴に挿入する。
【００１６】
上記の本考案の説明に基づき、本考案は更に広がる技術特徴は、該圧力棒の圧力シリンダーは気圧或いは油圧を使用する。
【００１７】
上記の本考案の説明に基づき、本考案は更に広がる技術特徴は、該上ピボットを上コネクティングロッドの枢結から抜き、コネクティングロッドセットとシートの支えの結合を解除することで、該上コネクティングロッド、二つの下コネクティングロッド及びシートを台座の延伸ブラケットに押し、収納状態を形成する。
【考案の効果】
【００１８】
本考案の構造により、ユーザーが使用することで、スクワット運動を行う間、サポートしてバランスを保つ要領を身につけることができ、且つ、延伸ブラケットを具有する台座は、スクワット運動を操作する間中、有効的に安定性と安全性を維持する。
【図面の簡単な説明】
【００１９】
【図１】本考案の立体組立略図である。
【図２】本考案の分解シートの立体略図である。
【図３】本考案のシートの組立断面略図である。
【図４】本考案のシートの高さ調整後の組立断面略図である。
【図５】本考案のスクワット運動サポートの使用状態図一。
【図６】本考案のスクワット運動サポートの使用状態図二。
【図７】本考案を収納操作する立体略図である。
【図８】本考案を収納完成立体略図である。
【考案を実施するための形態】
【００２０】
以下、本考案の構造と特徴および効果を、最良実施例と図面を参照しながら詳細に説明する。
【実施例】
【００２１】
図１から図５に示すのは、本考案の一種のスクワット運動マシーンである。それに含まれるのは地面Ａに設置する一つの台座１０、一つのシート２０、一つのコネクティングロッドセット３０及び一つの圧力棒４０である。
【００２２】
該台座１０は一つの延伸ブラケット１１及び相対する両サイドに位置する二本の支え棒１１１を具有する。該延伸ブラケット１１は一端に位置する二本の横棒１１２及び別端に位置する一つの突出段１１３を具有する。該延伸ブラケット１１が具有する二本の横棒１１２の一端は該二本の支え棒１１１と結合し、且つ別端の該突出段１１３は該台座１０の外側に延伸し、地面Ａと抵触することで、台座の安定した支えを形成する。
【００２３】
該シート２０は両サイドに延伸する一つの横向きハンドル２１及び縦向きに設置し、伸縮して高さを調整できる一つの昇降立管２２を具有する。該昇降立管２２は互いに被せてセットになる一つの内スリーブ２２１と一つの外スリーブ２２２を含む。該外スリーブ２２２は一つの上ピボット２２２Ａ及び下ピボット２２２Ｂを設ける。
【００２４】
該コネクティングロッドセット３０は互いに平行する一つの上コネクティングロッド３１と二つの下コネクティングロッド３２、及び一つのサポート台３３を含む。該サポート台３３は、台座１０の位置に対応した延伸ブラケット１１の上で結合し、且つ該サポート台３３は螺接する一つの上ボルト３３１と一つの下ボルト３３２を具有する。該上コネクティングロッド３１の両端は、それぞれ該上ピボット２２２Ａ、上ボルト３３３１と枢結する。該二つの下コネクティングロッド３２はサポート台３３の両サイドに位置し、且つ両端はそれぞれ該下ピボット２２２Ｂ、下ボルト３３２と枢結する。
【００２５】
該圧力棒４０は一つの圧力シリンダー４１及び圧力シリンダー４１の一端に位置する一つの伸縮棒４２を具有する。該圧力シリンダー４１をサポート台３３と突出段１１３の間にある延伸ブラケット１１に枢設する。該伸縮棒４２はシート２０に近い昇降立管２２の該二つの下コネクティングロッド３２に枢設し、該シート２０がコネクティングロッドセット３０に働く作用力を支えるためのものであり、且つ作用力が消えると、コネクティングロッドセット３０を押し上げ、且つ連動してシート２０を上向きに押し上げる。
【００２６】
また、本考案は上述の説明に基づき、更に他の技術特徴が広がり、下に詳細説明をする：上述の図１から図５に示すように、該上ピボット２２２Ａを該外スリーブ２２２のサポート台３３向きの一つの外壁に設置し、該下ピボット２２２Ｂは外スリーブ２２２の上ピボット２２２Ａと隣り合う両サイドの外壁に枢設する。また、該圧力棒４０の圧力シリンダー４１は気圧或いは油圧を使用することができる。
【００２７】
更に図３、図４に示すように、本考案の該シート２０の外スリーブ２２２は更に上ピボット２２２Ａの上側に位置する一つの伸縮ピン２３を設ける。伸縮ピン２３はボルトセットを具有する一つのガイド台２３１を具有し、且つ該ガイド台２３１は外スリーブ２２２と結合して固定する。該内スリーブ２２１は上下に排列する複数の制限穴２２１１を設け、該伸縮ピン２３を内スリーブ２２１の中の一つの制限穴２２１１に挿入して定位する。使用する前に、仮にシート２０の高さが自分の臀部の位置と合わない場合、図３の黒色矢印の方向に伸縮ピン２３を回し、緩めてから制限穴２２１１から外して内スリーブ２２１から離し、及び伸縮ピン２３が相対する制限穴２２１１を変える。図４に示すように、図３の白色矢印の方向に沿って、シート２０の高さを調整してから伸縮ピン２３を制限穴２２１１に挿入して固定すれば、図５、図６に示すように、支えをサポートしてスクワット運動を行うことができる。
【００２８】
図５に示すように、本考案を地面Ａに設置する台座１０は一つの延伸ブラケット１１を具有する。該延伸ブラケット１１が具有する二本の横棒１１２の一端は該二本の支え棒１１１と結合し、且つ別端の該突出段１１３は該台座１０の外側に延伸し、地面Ａと抵触することで、台座の安定した支えを形成する。ユーザーが台座１０に乗り、臀部をシート２０に座って両手で横向きハンドル２１を握る。更に両足の甲で二本の横棒１１２を引っ掛けると、図６に示すように、体を下向きにしゃがむ。該圧力棒４０の圧力シリンダー４１をサポート台３３の後ろ側にある延伸ブラケット１１に枢設し、及び該伸縮棒４２を該二つの下コネクティングロッド３２の中段部分に枢設する組合せ構造により、該シート２０がコネクティングロッドセット３０にかかる重さを支え、体が下降する緩衝を形成する。また、ユーザーが臀部を上げることでかかる重さが無くなると、圧力棒４０の伸縮棒４２はコネクティングロッドセット３０を押し上げ、且つ連動してシート２０を上向きに押し上げて図５の状態に戻る。このように繰り返すことで、ユーザーがスクワットスクワット運動を行う間、サポートしてバランスを保つ要領を身につけることができ、且つ、延伸ブラケット１１を具有する台座１０は、スクワット運動を操作する間中、有効的に安定性と安全性を維持する。
【００２９】
図７に示すように、使用が終ると、該上ピボット２２２Ａを上コネクティングロッド３１の枢結から抜き、コネクティングロッドセット３０とシート２０の支えの結合を解除することで、該上コネクティングロッド、二つの下コネクティングロッド３２及びシート２０を図７の矢印方向のように台座１０の延伸ブラケット１１に押し、図８に示すような収納状態を形成し、体積及び占領する空間を減らし、便利に収納できる。
【００３０】
上述のように、本考案を地面Ａに設置する台座１０は一つの延伸ブラケット１１を具有する。該延伸ブラケットの一端に二本の支え棒を設け、且つ台座と結合する。また、該延伸ブラケットの別端は該台座１０の外側に延伸し、地面Ａと抵触して台座１０の支えの安定性を強化する。有効的にスクワット運動を行う際の安全性を維持し、多くの使用上の進歩を具有する。
【００３１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３２】
１０  台座   
１１  延伸ブラケット
１１１  支え棒  
１１２  横棒
１１３  突出段  
２０  シート
２１  横向きハンドル  
２２  昇降立管
２２１  内スリーブ  
２２１１  制限穴
２２２  外スリーブ  
２２２Ａ  上ピボット
２２２Ｂ  下ピボット 
２３  伸縮ピン
２３１  ガイド台   
３０  コネクティングロッドセット
３１  上コネクティングロッド  
３２  下コネクティングロッド
３３  サポート台  
３３１  上ボルト
３３２  下ボルト  
４０  圧力棒
４１  圧力シリンダー  
４２  伸縮棒
Ａ  地面
【図１】
0003219145.tif 000003
【図２】
0003219145.tif 000004
【図３】
0003219145.tif 000005
【図４】
0003219145.tif 000006
【図５】
0003219145.tif 000007
【図６】
0003219145.tif 000008
【図７】
0003219145.tif 000009
【図８】
0003219145.tif 000010